(57)【特許請求の範囲】
【請求項１】
自動車両のための電気ヒータであって、液体を受け取り、且つ、誘導するための体積（１５）を備え、また、液体入口（１３）及び液体出口（１４）であって、液体が前記液体入口（１３）を介して前記体積（１５）中に流入することができ、また、前記液体出口（１４）を介して流出することができる液体入口（１３）及び液体出口（１４）を備え、少なくとも一つの発熱体（１６）及び流れ誘導デバイス（１２）が前記体積（１５）中に配置され、前記流れ誘導デバイス（１２）が、流れを偏向させ、及び乱流を発生するための少なくとも一つの流れ偏向及び乱流発生デバイス（２５）を備え、前記流れ誘導デバイス（１２）は、前記少なくとも一つの発熱体（１６）を支持する機能も支える機能も有していない、自動車両のための電気ヒータ。
【請求項２】
前記流れ誘導デバイス（１２）が、前記電気ヒータのメイン・ボディ（２２）に取外し可能に接続される、請求項１に記載の電気ヒータ。
【請求項３】
前記流れ誘導デバイス（１２）及び／又は前記メイン・ボディ（２２）が、前記流れ誘導デバイス（１２）がクランピング方式で保持される方法で少なくとも一つの対応するデバイスと協同する少なくとも一つのクランピング・デバイス（２０ａ、２０ｂ）を有することを特徴とする請求項２に記載の電気ヒータ。
【請求項４】
前記流れ誘導デバイス（１２）が、前記液体入口（１３）から前記液体出口（１４）へ流れる液体が偏向され、したがって流路が長くなる方法で、偏向デバイスを備えることを特徴とする請求項１乃至３のいずれか一項に記載の電気ヒータ。
【請求項５】
前記流れ誘導デバイス（１２）によって延長される前記流路が、液体入口（１３）と液体出口（１４）の間の距離の長さの少なくとも２倍であることを特徴とする請求項４に記載の電気ヒータ。
【請求項６】
前記流れ偏向及び乱流発生デバイス（２５）が、縁の内側に少なくとも一つの開口（２６、２６ａ、２６ｂ、２６ｃ、２７、２８）を、及び／又は縁の上に少なくとも一つの凹所（２１ａ、２１ｂ）を、及び／又は前記流れ誘導デバイス（１２）から前記流れ誘導デバイス（１２）の厚さの少なくとも２倍だけ突出する少なくとも一つの突起（３１、３２）を、有することを特徴とする請求項１乃至５のいずれか一項に記載の電気ヒータ。
【請求項７】
前記流れ偏向及び乱流発生デバイス（２５）が、前記流れ誘導デバイス（１２）から突出する少なくとも一つのフラップ（２３、２４）を有し、前記フラップ（２３、２４）は、前記流れ誘導デバイス（１２）の切断された断面によって形成され、及び／又は少なくとも部分的に前記流れ誘導デバイス（１２）の上に置かれることを特徴とする請求項１乃至６のいずれか一項に記載の電気ヒータ。
【請求項８】
前記流れ偏向及び乱流発生デバイス（２５）が少なくとも一つのタービュレータ（４４）を備えることを特徴とする請求項１乃至７のいずれか一項に記載の電気ヒータ。
【請求項９】
前記流れ偏向及び乱流発生デバイス（２５）が、前記流れ誘導デバイスの流入表面（３３、３４）の上流側端部よりも下流側端部に近く、或いはその逆であることを特徴とする請求項１乃至８のいずれか一項に記載の電気ヒータ。
【請求項１０】
前記流れ誘導デバイス（１２）を前記液体入口（１３）に近い近位１／２と前記液体入口（１３）から遠い遠位１／２との１／２ずつに分けたとき、前記流れ偏向及び乱流発生デバイス（２５）が部分的又は全体的に前記流れ誘導デバイス（１２）の遠位１／２に形成されることを特徴とする請求項１乃至９のいずれか一項に記載の電気ヒータ。
【請求項１１】
前記流れ誘導デバイス（１２）が、少なくとも一つの流れ誘導板及び／又は少なくとも一つの流れ誘導円筒を備えることを特徴とする請求項１乃至１０のいずれか一項に記載の電気ヒータ。
【請求項１２】
前記流れ誘導デバイス（１２）が、少なくとも実質的に互いに平行である少なくとも二つの壁断面（３７、３８）、即ち第１の壁断面（３７）及び第２の壁断面（３８）を有し、前記発熱体（１６）の少なくとも一つの断面がそれらの間に延在し、第１の流れ偏向及び乱流発生デバイスが前記第１の壁断面（３７）の上に設けられ、第２の流れ偏向及び乱流発生デバイスが前記第２の壁断面（３８）の上に設けられ、前記第１の流れ偏向及び乱流発生デバイス及び前記第２の流れ偏向及び乱流発生デバイスが互いに対してオフセットして、或いは互いに整列して配置されることを特徴とする請求項１乃至１１のいずれか一項に記載の電気ヒータ。
【請求項１３】
前記液体入口（１３）及び前記液体出口（１４）が互いに隣接し、及び／又は前記電気ヒータの同じ側に配置され、及び／又は互いに対してオフセットして配置されることを特徴とする請求項１乃至１２のいずれか一項に記載の電気ヒータ。
【請求項１４】
前記液体入口（１３）及び前記液体出口（１４）が、前記体積の内部の二つの点の間の最大可能距離より著しく短い互いからの距離、例えば互いからのこの最大可能距離の１／２未満の距離を有することを特徴とする請求項１乃至１３のいずれか一項に記載の電気ヒータ。
【請求項１５】
前記流れ誘導デバイス（１２）が前記体積（１５）を少なくとも二つの部分体積（１７、１８）に分割し、これらが少なくとも一つの、或いは正確には一つの接続開口によって相互接続され、前記接続開口は、前記液体出口（１４）からよりも前記液体入口（１３）からの方がより広く間隔を隔てていて、及び／又は発熱体（１６）又は前記発熱体（１６）の断面が、いずれも部分体積（１７、１８）中に配置されることを特徴とする請求項１乃至１４のいずれか一項に記載の電気ヒータ。
【請求項１６】
少なくとも一つの管状加熱体及び／又は少なくとも一つの層ヒータが、発熱体（１６）又はその一部として設けられることを特徴とする請求項１乃至１５のいずれか一項に記載の電気ヒータ。
【請求項１７】
請求項１乃至１６のいずれか一項に記載の電気ヒータを備える自動車両。
【請求項１８】
前記液体が前記液体入口（１３）を通って流入し、また、高められた温度で前記液体出口（１４）から流出する、請求項１乃至１６のいずれか一項に記載の電気ヒータ又は請求項１７に記載の自動車両を動作させるための方法。
【請求項１９】
前記体積（１５）から流出する前記液体を使用して自動車両の内部及び／又は運転要素が加熱されることを特徴とする請求項１８に記載の方法。
【請求項２０】
予備加熱デバイス及び／又は追加加熱デバイスとしての、請求項１乃至１６のいずれか一項に記載の電気ヒータの使用。
【請求項２１】
請求項１乃至１６のいずれか一項に記載の電気ヒータを備えるセットであって、それらの少なくとも一つの乱流発生デバイスの構造に関して互いに異なっている少なくとも第１の流れ誘導要素及び第２の流れ誘導要素を備える、セット。
【発明の詳細な説明】
【技術分野】
【０００１】
本発明は、電気ヒータ、詳細には自動車両のための補助加熱システム、及びヒータを動作させるための方法に関する。
【背景技術】
【０００２】
自動車両のための、例えば補助加熱システムなどの電気ヒータは広く知られている。電気補助加熱システムは、通常、主流れ方向を有する水運搬領域（水運搬体積）を有している。更に、水接続が水運搬領域に設けられており、それにより水を水運搬領域へ導き入れまた、この領域から導き出すことができる。このような補助加熱システムを永久に動作させるためには、通常、換気を可能にする必要がある。この点に関して、利用可能な設置空間の利用を改善することが必要であると思われる。
【発明の概要】
【発明が解決しようとする課題】
【０００３】
したがって本発明の目的は、自動車両中の利用可能な設置空間を有効に利用することができるようにすることである。
【課題を解決するための手段】
【０００４】
この目的は、請求項１の特徴によって解決される。
【０００５】
本発明の第１の態様によれば（この第１の態様は、詳細には後続する第２の態様と組み合わされてもよい）、自動車両（乗用車両又はトラックであることが好ましい）のための電気ヒータ、詳細には補助加熱システムは、液体、詳細には水を受け取り、且つ、誘導するための体積を備え、また、液体入口及び液体出口であって、液体が液体入口を介して体積中に流入することができ、また、液体出口を介して流出することができる液体入口及び液体出口を備え、少なくとも一つの発熱体、詳細には発熱抵抗体、及び流れ誘導デバイス（詳細には偏向デバイス）が体積中に配置され、流れ誘導デバイスは、流れを（局所的に）偏向させ、及び／又は乱流を（局所的に）発生するための少なくとも一つの流れ偏向及び／又は乱流発生デバイスを備える。
【０００６】
第１の態様の鍵となる着想は、少なくとも一つの流れ偏向及び／又は乱流発生デバイス（即ち例えば開口又は間隙及び／又は凹所及び／又は突起）を備え、したがって流れを（局所的に）偏向させてデッド・スペースを小さくするか、又は回避することができ、或いは少なくとも一つの発熱体への熱伝達を改善する乱流を導入することができる流れ誘導デバイス（流れ誘導要素）を提供することにある。
【０００７】
更に、上記目的は、液体、詳細には水を受け取り、且つ、誘導するための体積を備え、また、液体入口及び液体出口であって、液体が液体入口を介して体積中に流入することができ、また、液体出口を介して流出することができる液体入口及び液体出口を備える、自動車両（例えば乗用車両又はトラック）のための、補助加熱システムであることが好ましい電気ヒータによって第２の態様に従って解決され（この第２の態様は、詳細には第１の態様と組み合わされてもよい）、少なくとも一つの発熱体、詳細には発熱抵抗体、及び流れ誘導デバイス（詳細には偏向デバイス）が体積中に配置され、流れ誘導デバイスは、電気ヒータのメイン・ボディに取外し可能に接続され、詳細には電気ヒータのメイン・ボディ上にプラグ・オンされる。
【０００８】
第２の態様の鍵となる着想は、取外し可能流れ誘導デバイス（流れ誘導要素）を提供し、したがって流れ誘導デバイスを取り外し、及び／又は交換することができることにある。この手段により、流れ誘導デバイスを特定的に、或いはより特定的に所望の状況に適合させることができ、したがって電気ヒータの有効な動作を可能にすることができ、また、とりわけ必要な設置空間をかなり小さくすることができる。例えば適切な流れ誘導デバイスを製造中に予め選択することができ（おそらくは複数の異なる流れ誘導デバイスから）、また、特定のメイン・ボディに取り付けることができる。その後の交換も任意選択で実行可能である。
【０００９】
原理的には、本発明による（電気）ヒータは給湯器を備えている。このような給湯器は、例えば車両の冷却水回路中に統合することができる。水の代わりに、異なる液体又は水−混合物（例えば水−グリコール）を使用することも可能である。給湯器中に解放される熱は、熱源から冷却水へ伝達することができる。これは、熱交換器中又はハウジング内で達成することができる。
【００１０】
例えば内部及び／又は構成要素を加熱するために、電気エネルギを使用して流体（冷却水）を加熱することができ、熱交換器を介して流体へ熱を伝達することができる。原理的には、熱伝達は、冷却水誘導チャネル及び発熱体（抵抗熱導体）の空間分離によって達成することができる（詳細には高電圧ヒータの場合）。この場合、冷却水（流体）及び発熱体（抵抗熱導体）は互いに直接接触しない。しかしながら本発明では、冷却水（流体）及び発熱導体は空間的に分離されないことが好ましい（また、後で例えば投込み電熱器として構成される）。発熱導体（例えば管状発熱体、管状加熱体）は、冷却水誘導（流体誘導）チャネル中に直接統合することができる。
【００１１】
流れ誘導デバイスは、詳細には、（流体誘導）体積の内部に配置され、また、流れる流体の方向を少なくとも部分的に（共同）画定するデバイス（要素）として理解されたい。したがって流れ誘導デバイスは、少なくとも一つの発熱体と厳密に同じ方法で体積中に浸される（体積中の流体が流れ誘導デバイス及び同じく少なくとも一つの発熱体の両方と接触する方法で）。流れ誘導デバイスは、（何らかの）電気発熱体を支持し、及び／又は支える機能を有していないことが好ましい。実施形態では、流れ誘導デバイス及び少なくとも一つの（又はすべての提供されている）発熱体は、機械的に接触していない、即ち互いに間隔を隔てている。この場合、流れ誘導デバイスは、板又は円筒として構成することができ、また、（一般的には）一定の厚さを有することができる（おそらくは例えば乱流入力のための突起、開口及び／又は凹所を別にして）。流れ誘導デバイスは、金属、詳細にはアルミニウムを少なくとも主体（重量パーセントで）として形成されることが好ましい。
【００１２】
乱流発生デバイスは、詳細には、流れ誘導デバイスを介して誘導される、即ち流れ誘導デバイスの上、及び／又は中、及び／又は（周囲）を流れる流体ストリーム中に乱流を加える方法で構造的に条件付けられる、貫通混合を促進し、また、いわゆるデッド・スペースの形成を防止する（或いは少なくともデッド・スペースの形成の対応する可能性を小さくする）デバイス（要素）として理解されたい。
【００１３】
流れ偏向デバイスは、詳細には、流れを局所的に（おそらくはいくつかの位置で）偏向させる（詳細には乱流を発生することなく）デバイスとして理解されたい。流れ偏向デバイスは、この目的のために、対応する流れ偏向デバイスがない場合、流れが到達することがない、或いはそこを通る流れが生じない領域（デッド・スペース）に液体ストリームを偏向させる複数の開口（間隙）及び／又は凹所及び／又は突起を有することができることが好ましい。
【００１４】
流れ誘導デバイスは、穴あき円筒の形態を有することができる。穴あき円筒は、細長い孔のタイプの横断面を有することが好ましい。横断面の長さは、幅の１．５倍の長さであることが好ましく、幅の少なくとも２．５倍及び／又は最大１０倍の長さであることが更に好ましく、幅の最大５倍の長さであることが好ましい。流れ誘導デバイスの軸方向の長さは、横断面の長さの少なくとも０．５倍の長さであることが好ましく、横断面の長さの少なくとも１．０倍及び／又は最大３．０倍の長さであることが好ましく、横断面の長さの最大１．８倍の長さであることが好ましい。別法又は追加として、流れ誘導デバイスの軸方向の長さは、横断面の幅の少なくとも１．８倍の長さであることが好ましく、横断面の幅の少なくとも３．０倍及び／又は最大１２．０倍の長さであることが更に好ましく、横断面の幅の最大６．０倍の長さであることが好ましい。
【００１５】
更に、流れ誘導デバイスは、複数の（例えば円形の）孔を備えていることが好ましく、これらの孔は、格子又はメッシュ様の方式、或いは（いくつかの）行、例えば少なくとも５行又は少なくとも１０行、及び／又はいくつかの列、例えば少なくとも５列又は少なくとも１０列で配列されることが更に好ましい。「線」は、軸方向の「列」である、穴あき円筒の円周方向に延在することが好ましい。例えば全部で少なくとも２０個又は少なくとも１００個の孔を設けることができる。孔は、個々の事例において、それら自身で、或いは全体で、流れを（局所的に）偏向させる流れ偏向デバイスを形成することができ、したがってデッド・スペースが回避されるか、或いは少なくとも低減される。
【００１６】
個々の孔、又はいくつかの孔、或いはすべての孔は、丸い横断面又は丸くない横断面、例えば楕円形、長円形及び／又は多角形、詳細には四角形及び／又は三角形の横断面、及び／又は以下の実施形態で説明されている横断面を有することができる。
【００１７】
穴あき円筒の縦軸は、ハウジングの縦軸に対して横方向に延在することができる。第２の流れ誘導デバイス（詳細には穴あき円筒に加えて）は、分割壁、詳細には分割板の形態で設けることができる。第２の流れ誘導デバイスは、穴あき円筒の軸方向の長さの少なくともほぼ半分（任意選択で軸方向の長さの＋／−１０％）にわたって配置することができる。更に、第２の流れ誘導デバイスは、穴あき円筒の軸方向に対して少なくとも実質的に直角であってもよい。
【００１８】
第１の（穴あき円筒）及び／又は第２の流れ誘導デバイスは、（個々の事例において、それら自身で、或いは相俟って）偏向デバイスを形成することができる。
【００１９】
体積は、第２の流れ誘導デバイス（分割壁又は分割板）によって二つの部分体積に分割することができる。この場合、第２の流れ誘導デバイスは、ハウジングの一つの（縦方向の）側壁から反対側の側壁まで真っ直ぐに通っていることが好ましい（これらの側壁に対して直角に）。液体入口及び液体出口は、同じ側壁に配置することができる（また、とりわけ、ハウジングの縦方向の延長に対して互いに隣り合っていることが好ましい）。とりわけ液体入口及び液体出口は、側壁の端部断面に配置することができる。
【００２０】
液体は、全体で（第１の）流れ誘導デバイス（穴あき円筒）の周囲を（第１の）流れ誘導デバイス（穴あき円筒）及び／又は（第２の）流れ誘導デバイスの縁の周囲を介して端から端まで流れることができ、したがって全体で多数の「経路」を液体のために利用することができ、又はデッド・スペースを回避し、或いは少なくとも小さくすることができる。
【００２１】
発熱体（詳細には発熱コイル又は発熱管の形態の）は、（第１の）流れ誘導デバイス（穴あき円筒）の周囲に配置されることが好ましい。（第１の）流れ誘導デバイス１２は、発熱体に（機械）接触させることができ、例えば発熱体中にプラグ・インすることができるが、発熱体とは間隔を隔てていることが好ましい。したがって熱伝達を期待して液体の流れを更に改善することができる。
【００２２】
更に、（第１の）流れ誘導デバイス（穴あき円筒）は、詳細にはプラグ・オン又はプラグ・インによってメイン・ボディに取外し可能に接続することができる。（第１の）流れ誘導デバイス（穴あき円筒）は、第２の流れ誘導デバイスによって保持することができ、詳細には第２の流れ誘導デバイス中にプラグ・インされる。第２の流れ誘導デバイスは、本質的にメイン・ボディに（例えばプラッギング又は溶接によって）取外し可能に、或いは非取外し可能に接続することができる。
【００２３】
流れ誘導デバイスは、偏向デバイス、詳細には少なくとも一つの分割壁を備えていることが好ましく、或いは液体入口で流入し、液体出口へ向かう液体が偏向され、したがって流路が拡張される方法であることが好ましい方法で、偏向デバイス、詳細には分割壁として構成されることが好ましい。この更なる開発の鍵となる着想は、液体入口から液体出口までの液体の「短縮」が（少なくとも大幅に）防止されるよう、体積を通り、偏向デバイスを通って流れる液体を経路上に強制することにある。したがって発熱体の周囲の良好な（少なくともほぼ完全な）、画定された流れを達成することができる（詳細には設置位置に無関係に）。したがって発熱体の周囲のこのタイプの流れは、設置位置に（少なくともほぼ）無関係である。それにもかかわらず様々な（例えば二つ又は三つの異なる）設置位置で十分な換気を同じく達成することができる。したがって全体として、利用可能な設置空間をより有効に利用することができる（電気ヒータの適切な配向により）。全体として電気ヒータを多様に使用することができる。
【００２４】
体積（水誘導領域）は、（少なくとも部分的に）発熱体、詳細には発熱抵抗体が配置される容器によって形成されることが好ましい。体積即ち容器は、詳細には長方形（おそらくは丸い縁を有する）又は（円形）円筒状であってもよい。容器は、任意選択で偏向デバイスと一片で形成することができる（一体であることが好ましい）。別法としては、容器は複数の要素から構成することができ、及び／又は容器及び偏向デバイスは、個別の構成要素によって形成することができる。容器は、（少なくとも部分的に）金属及び／又はプラスチックから製造することができる。
【００２５】
液体入口及び／又は出口は丸い横断面を有することが好ましい。
【００２６】
発熱体は、詳細には、体積中の液体を加熱することができ、したがって液体出口から出る際の液体の温度が液体入口を通って入る際の温度と比較すると高くなる要素として理解されたい。このような発熱体は、封止される（即ち、詳細には、中に流体チャネルが統合されることなく構成される）ことが好ましい。発熱体は（電気）発熱抵抗体、即ち電流が印加されると加熱されるようになる構造であることが好ましく、熱は、次に体積中の液体に引き渡すことができる。体積中の発熱体の構造は、詳細には、発熱体が体積の内部へ突出する構造として理解されたい。しかしながらこの構造は、発熱体が体積の壁の内側の表面に配置されるか、或いは壁自体によって画定される構造を同じく備えることも可能である。特定の実施形態では、正確に一つの液体入口及び一つの液体出口が設けられる。二つ以上の液体入口及び／又は二つ以上の液体出口が設けられることも同じく想定可能である。
【００２７】
偏向デバイスによる偏向は、詳細には、液体入口と液体出口の間の直接経路が偏向デバイスによって少なくとも部分的に阻止され、したがって体積を通って流れることによって液体入口から液体出口へ到達するために、液体が少なくとも部分的に迂回路上へ強制されることを意味することを理解されたい。この手段によって、体積を通って流れる液体の少なくとも一部が（例えば液体の少なくとも微小部分が迂回路なしに液体入口から液体出口まで流れることを許容する偏向デバイス中の一つ又は複数の開口を通って）液体入口から液体出口までの直接経路上を同じく流れ得ることが防止されてはならない。しかしながら液体の少なくとも大部分は偏向デバイスによって迂回路上へ強制される。この迂回路は、液体入口と液体出口の間の（潜在的）直接経路の長さの少なくとも２倍の長さにするべきであることが好ましく、少なくとも４倍の長さにするべきであることが更に好ましい。
【００２８】
特定の構成では、流れ誘導デバイス（偏向デバイス）は、ハウジングの二つの互いに反対側の（例えば平行に通っている）壁断面の間の距離の少なくとも２５％にわたって延在することができ、少なくとも５０％及び／又は最大９８％にわたって延在することができることがより一層好ましく、最大９２％にわたって延在することができることが好ましい。例えば（円形）円筒状構成では、流れ誘導デバイス（偏向デバイス）は、円筒の長さの少なくとも２５％、詳細には少なくとも５０％及び／又は最大９８％にわたって延在することができることが好ましく、最大９２％にわたって延在することができることが好ましい。
【００２９】
流れ誘導デバイス及び／又はメイン・ボディは、詳細には少なくとも一つのプラグ・イン・フラップを備えた少なくとも一つのクランピング・デバイスを有することが好ましい。クランピング・デバイス（プラグ・イン・フラップ）は、流れ誘導デバイスがクランピング方式で保持される方法で少なくとも一つの対応するデバイス（例えば縁及び／又はトリップ様突起）と協同することが好ましい。この手段により、単純な方法で流れ誘導デバイスを取り付けることができ、且つ、安全に保持することができる。
【００３０】
流れ偏向及び／又は乱流発生デバイスは、少なくとも一つのフラップ（詳細には流れ誘導デバイスから突出している）を有することが好ましい。フラップは、少なくとも部分的に切断され、及び／又は少なくとも部分的にその上に置かれる（ベント）流れ誘導デバイスの断面によって少なくとも部分的に形成することができることが好ましい。
【００３１】
好ましい実施形態では、少なくとも一つのフラップは、流れ誘導デバイスの縁（板の形であることが好ましい）に配置され、また、流れ誘導デバイスの主表面から外側に向かってピボットさせることができる（例えば湾曲させることによって）。したがって流れ偏向及び／又は乱流発生デバイスは、とりわけ単純な方法で適合させることができる（詳細には同じく製造後に）。別法又は追加として、流れ誘導デバイスの縁には設けられない少なくとも一つのフラップを同じく設けることも可能である。しかしながら同じくここでは、フラップは、外側に向かって様々な距離で置くことができるように条件付けられることが好ましい（したがってフラップは様々な距離まで突出することができる）。
【００３２】
特定の一実施形態では、流れ偏向及び／又は乱流発生デバイスは、少なくとも一つのタービュレータを備えている。タービュレータは、（詳細には板の形の）流れ誘導デバイスによって予め画定される平面上に直角に延在することが好ましい。タービュレータは、円筒状の形を有することができ、及び／又は円形の横断面を有することができる。
【００３３】
一実施形態では、少なくとも一つの突起は、流れ誘導デバイスの厚さの少なくとも２倍だけ流れ誘導デバイスから突出することができ、流れ誘導デバイスの厚さの少なくとも３倍だけ流れ誘導デバイスから突出することができることが好ましい。流れ誘導デバイスの厚さ（局所厚さが変化する）は、詳細には、一定の厚さのすべての凝集領域の間の平均厚さ、又は一定の厚さの最大凝集領域の厚さとして理解されたい。別法又は追加として、突起は、少なくとも２ｍｍだけ流れ誘導デバイスから突出することができ、少なくとも３ｍｍ及び／又は最大１００ｍｍだけ流れ誘導デバイスから突出することができることが好ましく、最大５０ｍｍだけ流れ誘導デバイスから突出することができることが好ましく、最大１０ｍｍだけ流れ誘導デバイスから突出することができることが更に好ましい。
【００３４】
実施形態では、流れ偏向及び／又は乱流発生デバイス（詳細には突起の形態の）は、流れ誘導デバイスの流入表面の上流側端部よりも下流側端部に近く、或いはその逆である。流れ誘導デバイスの流入表面は、詳細には、通り越して流れる流体と（直接）接触する表面として理解されたい。「上流側」及び「下流側」は、この文脈では、すべての乱流又は局所偏位が考慮されない主流れ方向に関している。例えば液体入口は、この意味では上流側に位置しており、また、液体出口は下流側に位置している。
【００３５】
流れ偏向及び／又は乱流発生デバイスは、少なくとも一つの開口（間隙）を有することが好ましく、縁の内側に（又は縁から間隔を隔てて）少なくとも一つの開口（間隙）を有することが更に好ましい。別法又は追加として、流れ偏向及び／又は乱流発生デバイスは、少なくとも一つの凹所を有することができ、縁の上に少なくとも一つの凹所を有することができることが好ましい。別法又は追加として、流れ偏向及び／又は乱流発生デバイスは、少なくとも一つの突起を有することができる。突起は、例えば下流側又は上流側に向かって傾斜するように条件付けることができる（ここでも同じく主流れ方向に対して）。とりわけ突起及び対応する開口及び／又は凹所は、突起が開口又は凹所と直接隣接するか、或いは開口又は凹所と少なくとも部分的に境界をなすように結合することができることが好ましい。したがって単純な方法で乱流を導入することができる。製造中、例えばたったの一ステップで突起及び対応する開口／凹所を製造することができる（例えば金属シートから切断することによって）。
【００３６】
実施形態では、流れ偏向及び／又は乱流発生デバイスは、部分的に又は全面的に流れ誘導デバイスの遠位１／２に形成される。流れ誘導デバイスの遠位１／２は、流れ誘導デバイスのアセンブリ領域からより大きく距離を隔てた半分（例えば蓋又はフランジ部分或いは他のハウジング要素の上の）として理解されたい。したがって液体は、最初は流れ誘導デバイスの特定の断面にわたって、流れ誘導デバイスに沿って流れることができ（個々の事例において、少なくとも対応する近位１／２にわたって）、また、遠位領域にのみ乱流を導入することができる。この手段により、十分な動作を達成することができる。
【００３７】
流れ誘導デバイスは、少なくとも一つの流れ誘導板（偏向板）、及び／又は少なくとも一つの流れ誘導円筒（偏向円筒）を備えることができる。流れ誘導板は、体積又は対応するハウジング（体積を画定している）の縦軸に対して平行に延在することが好ましい。流れ誘導円筒は、ハウジングの縦軸に対して直角に形成されることが好ましい。流れ誘導円筒の（半径方向の）横断面は、円形又は楕円形或いは細長い孔の形になるように構成することができる。横断面の長さは、横断面の幅の少なくとも２倍の長さにすることができ、横断面の幅の少なくとも４倍の長さであることが好ましい。流れ誘導円筒は中空円筒であることが好ましい。
【００３８】
流れ誘導デバイスは、（少なくとも実質的に）互いに平行である少なくとも二つの壁断面、即ち第１の壁断面及び第２の壁断面を有することができる。発熱導体の少なくとも一つの断面は、壁断面の間を延在することが好ましい。第１の流れ偏向及び／又は乱流発生デバイス（詳細には開口）は第１の壁断面の上（中）に設けられることが好ましく、及び／又は第２の流れ偏向及び／又は乱流発生デバイス（詳細には開口）は第２の壁断面の上に設けられることが好ましい。第１の流れ偏向及び／又は乱流発生デバイス（開口）及び第２の流れ偏向及び／又は乱流発生デバイス（開口）は、互いに対して（部分的に、又は完全に）オフセットして、或いは（別法としては）互いに整列して配置されることが好ましい。整列した配置は、詳細には、すべての直線が一方では第１の壁断面又は第２の壁断面に対して直角であり、また、流れ偏向及び／又は乱流発生デバイス（開口）を通過し、同じく第２の流れ偏向及び／又は乱流発生デバイス（開口）を通過するように理解されたい。オフセットが存在している限り、これは部分的又は完全に形成され得る。部分オフセットは、上で定義した直線のサブセットのみが第１の流れ偏向及び／又は乱流発生デバイス（開口）を通過し、また、他のサブセットが第１の流れ偏向及び／又は乱流発生デバイス（開口）及び第２の流れ偏向及び／又は乱流発生デバイス（開口）の両方を通過するように理解されたい。完全オフセットは、上で定義したすべての直線が第１の流れ偏向及び／又は乱流発生デバイス（開口）のみを通過し、第２の流れ偏向及び／又は乱流発生デバイス（開口）、又は第２の壁断面上のすべての他の流れ偏向及び／又は乱流発生デバイス（開口）は通過しない配置として理解されたい。流れ偏向及び／又は乱流発生デバイス（開口）のこのようなオフセットの結果として、追加（重畳した）速度成分がもたらされ、それにより液体（流体）への熱伝達を更に促進することができる。
【００３９】
液体入口及び液体出口は互いに隣接して配置することができ、及び／又は電気ヒータの同じ側に配置され、及び／又は互いに対してオフセットして配置される。オフセット配置の結果として（例えば同じ側の）、流れる液体に他の速度成分を加えることができ、これは熱伝達を更に改善することができる。
【００４０】
本発明の他の態様によれば（この態様は、上記第１の態様及び／又は第２の態様と組み合わせることができることが好ましい）、目的は、自動車両のための電気ヒータ（詳細には補助加熱システム）によって解決され、自動車両は、上で説明したタイプの自動車両であることが好ましく、電気ヒータは、液体、詳細には水を受け取り、且つ、誘導するための体積を備え、また、液体入口及び液体出口であって、液体が液体入口を介して体積中に流入することができ、また、液体出口を介して流出することができる液体入口及び液体出口を備え、発熱抵抗体が体積中に配置され、電気ヒータは、少なくとも二つの異なる設置位置で換気することができるように構成され、少なくとも三つの異なる設置位置で換気することができるように構成されることが好ましい。本発明の基本着想によれば、様々な設置位置で機能する（永久的に）ように、詳細には換気することができるように構成される電気ヒータが提案される。更に、電気ヒータは、複数の設置位置でも動作する（有効に）ことができるように、即ち対応する熱伝達が生じ得るように構成されなければならない。最後に、電気ヒータは、様々な設置位置（設置配向）で取り付けることができるように同じく構成される。これは、いくつかの設置位置（設置配向）での取付けを同じく可能にする対応する取付けデバイスを想定している。この場合、重力は常に下に向かっているため、異なる力が異なる設置位置に作用することに留意されたい。
【００４１】
したがって最初に第１の設置位置を可能にすることができる。第２の設置位置は、任意選択で、電気ヒータを第１の設置位置から９０度だけ回転させることによって達成することができる。任意選択で第３の設置位置は、第２の設置位置から第２の（異なる）軸の周りに９０度だけ回転させることによって達成することができる。第２の軸は第１の軸に対して直角であることが好ましい。例えば第１の軸は、電気ヒータの縦方向の延長に対して平行であってもよく、また、第２の軸は、電気ヒータの縦方向の延長に対して直角であってもよい（即ち横方向に延在する）。電気ヒータ、詳細には従来技術の電気補助加熱システムでは、詳細には貫通流構成のタイプ及び水接続の構造の場合、ヒータの様々な設置位置が実現され得ることを妨げている。本発明によれば、もはやこの制約が克服される。一般に、様々な設置位置は、重力ベクトルに関連して電気ヒータの様々な配向を意味している。
【００４２】
偏向デバイス（偏向要素、詳細には分割壁）は金属で形成することができ、及び／又は板の形として、或いは板として構成することができる。偏向デバイスは、少なくとも部分的に、（真っ直ぐであることが好ましい）金属シートを備えることができる。偏向デバイスの輪郭は四角形であってもよい。
【００４３】
流れ誘導デバイス即ち偏向デバイス（偏向要素）は、発熱体から間隔を隔てることができ、即ち発熱体に接続されなくてもよく、詳細には少なくとも一つの発熱体、又はいくつかの発熱体、或いはすべての発熱体と接触していなくてもよい。
【００４４】
流れ誘導デバイス即ち偏向デバイスは、電気ヒータの内部の近位端、詳細には電気ヒータのハウジング又はハウジング部分の上に取り付けることができる。遠位端は自由であることが好ましい。
【００４５】
液体入口及び液体出口は互いに隣接していることが好ましい。別法又は追加として、液体入口及び液体出口は、電気ヒータの（又は体積を形成している容器の）同じ側（例えば同じ壁、詳細には側壁）に配置することができる。「互いに隣接している」は、詳細には、液体入口と液体出口の間の距離が５ｃｍ未満であるとして理解されたい。例えば液体入口及び液体出口は、電気ヒータ（又は体積）の縦方向に延在している壁の上、詳細にはこのような縦方向の壁の一方の端部の上に配置することができ、この縦方向の壁の一方の端部は、縦方向の延長の２０％の領域（一方の端部縁から見た場合の）によって画定することができる。このような配置の結果として、一方では、様々な設置位置で換気を効果的に実施することができ、また、それにもかかわらず電気ヒータは、様々な設置位置における発熱体の周囲の適切な流れが偏向デバイスによって保証されるため、効果的に動作することができる。全体として、様々な設置位置における有効な動作、即ち利用可能な設置空間の利用を可能にすることができる。
【００４６】
液体入口及び液体出口は、体積の内部の二つの点の間の最大可能距離より（著しく）短い互いからの距離、例えば互いからのこの最大可能距離の１／２未満の距離を有することができ、互いからのこの最大可能距離の１／４未満の距離を有することができることが好ましく、互いからのこの最大可能距離の１／８未満の距離を有することができることが好ましい。（完全な）立方形では、例えば最大可能距離は、空間対角線に対応することになる。
【００４７】
液体出口は、液体入口と同じ高さであれ、或いはそれを超える高さであれ、少なくとも三つの異なる設置位置に配置され／配置することができることが好ましい。特定の実施形態では、液体入口は、液体入口の高さの二つの設置位置、及び液体入口より高い第３の設置位置に配置され／配置することができる。したがって三つの異なる設置位置において、単純な方法で有効な動作及び同じく換気を可能にすることができる。
【００４８】
液体出口及び液体入口が体積の同じ壁の上に配置される場合（例えば同じ側壁上の立方形の場合、或いは横方向の表面の円筒の場合）、液体出口及び液体入口は、この壁の同じ高さに配置されるか、或いは接続線が液体入口と液体出口の間を、壁境界に対して平行に通るように配置されることが好ましい。
【００４９】
流れ誘導デバイスによって拡張される流路は、液体入口と液体出口の間の距離の長さの少なくとも２倍にすることができ、少なくとも４倍にすることができることが好ましく、少なくとも８倍にすることができることが更に好ましく、少なくとも１６倍にすることができることがより一層好ましい。
【００５０】
偏向デバイスは、体積の内部を体積の（縦方向の）延長の少なくとも５０％にわたって延在することが好ましく、少なくとも８０％にわたって延在することが好ましく、少なくとも９０％及び／又は最大９５％にわたって延在することがより一層好ましく、最大９２％にわたって延在することが好ましい。
【００５１】
特定の一実施形態では、流れ誘導デバイス即ち偏向デバイスは、体積を二つの部分体積に分割し、これらは少なくとも一つの、或いは正確には一つの接続開口によって相互接続されることが好ましい。接続開口は、液体出口からよりも液体入口からの方がより広く間隔を隔てることができることが好ましい（液体入口から）。別法又は追加として、発熱体又は発熱体の断面は、両方の部分体積中に配置することができる。流れ誘導デバイス即ち偏向デバイス（分割壁）によって画定される分割表面は、（面積の）最大２０％にわたって一つ又は複数の開口を有することが好ましく、最大１０％にわたって一つ又は複数の開口を有することが更に好ましい。言い換えると、分割表面は大部分が封止される。特定の実施形態では、部分体積間の間隙は、流れ誘導デバイス即ち偏向デバイスの一つの遠位端（液体入口から遠ざかる方向を指す）に排他的に存在し得る。しかしながら任意選択で、例えば換気及び／又は発熱体の個々の領域の流入を改善するために、（少なくともより小さい）間隙を液体入口の方向に更に配置することも可能である。
【００５２】
流れ誘導デバイス即ち偏向デバイス（分割壁）は、偏向デバイスの縦方向の延長に対して直角の液体案内の横断面が、液体入口及び／又は液体出口から始まって漏斗形に先細りになるか、或いは広がる方法で配置及び配向することができる。流れ誘導デバイス即ち偏向デバイス（分割壁）は、第１の側から第２の（反対側の、任意選択で平行に通っている）側まで縦方向に通ることができる。このような（漏斗様）先細り又は広がりの結果として、体積を通る流れを有効に実現することができ（設置位置が異なっても）、全体として効率を改善する。
【００５３】
体積を画定しているハウジング及び流れ誘導デバイス即ち偏向デバイスは、一部品（一体）構成要素として実現することができる。したがって製造費用を低減することができ、また、（追加として）封止点を回避することができる。
【００５４】
少なくとも一つの管状加熱体及び／又は少なくとも一つの層ヒータが発熱体又は発熱体の一部として設けられることが好ましい。管状加熱体は、詳細には、（任意選択で封止される、即ち内部流体チャネルなしに構成される）電気導体の蛇行及び／又は螺旋及び／又は渦巻き形プロファイルとして理解され得る。層ヒータは、詳細には、電気導体がベース（例えばハウジング内壁）に対して平らに加えられ（例えば少なくとも５ｃｍ２又は１０ｃｍ２にわたって）、且つ、電流で加熱するために置かれる発熱体である。例えばこの点に関して、ＷＯ  ２０１３／１８６１０６  Ａ１及びＷＯ  ２０１３／０３００４８  Ａ１を参照されたい。そこに記述されているヒータは、電気電圧が印加されると（又は電流が流れると）加熱される電気発熱層を有している。管状加熱体を使用することにより、詳細には製造が容易な幾何構造を実現することができる。
【００５５】
上記の目的は、上で説明したタイプの電気ヒータを備える自動車両によって更に解決される。
【００５６】
更に、目的は、上で説明したタイプのヒータを動作させるための方法、又は上で説明したタイプの自動車両によって解決され、液体は、液体入口を通って流入し、また、高められた温度で液体出口から流出する。体積から流出する液体は、自動車両の内部、詳細には乗員室を加熱するために、及び／又は運転要素、詳細にはエンジンを加熱（又は予備加熱）するために使用されることが好ましい。
【００５７】
本発明の他の態様によれば、上で説明したタイプのヒータの、予備加熱デバイスとしての使用、及び／又は追加デバイス、詳細には補助加熱システムとしての使用が提案される。
【００５８】
本発明の他の態様によれば、上記ヒータを備えたセット（少なくとも一つの流れ誘導デバイスが任意選択で解放即ち分離される）が提案され、そのセットは、それらの構造に関して互いに異なる少なくとも第１の流れ誘導デバイス及び第２の流れ誘導デバイスを備えており、構造の相違は、少なくとも一つの流れ偏向及び／又は乱流発生デバイスの構造によるものであることが好ましい。第１の流れ誘導デバイス及び第２の流れ誘導デバイスは、基本的にそれぞれヒータに関連して上で説明したように構成することができる。第１の流れ誘導デバイス及び第２の流れ誘導デバイスは、互いに交換することができ、及び／又は相俟って使用することができることが好ましい。例えば第１の流れ誘導デバイス及び第２の流れ誘導デバイスは、そのサイズ及び／又は形状に関して、及び／又は流れ偏向及び／又は乱流発生デバイスのサイズ及び／又は形状及び／又は数に関して異なっていてもよい（詳細には突起又は開口或いは凹所のサイズ及び／又は形状及び／又は数に関して異なっている）。このセットにより、単純な方法で所望の使用位置へのヒータの比較的良好な適合を達成することができる。
【００５９】
発熱体（電気発熱抵抗体）には、自動車両の電源（例えば車両蓄電池）を介して、及び／又は（外部）電源回路網を介して電流を供給することができる。
【００６０】
部分体積は、個々の事例において、（全）体積の少なくとも１０％を含み、（全）体積の少なくとも２０％を含むことが好ましく、（全）体積の少なくとも４０％を含むことがより一層好ましい。
【００６１】
体積は少なくとも２００ｃｍ３を備えることができ、少なくとも１０００ｃｍ３を備えることができることが好ましい。更に、体積（縦方向の延長における）は少なくとも５ｃｍの長さであってもよく、少なくとも１２ｃｍの長さであることが好ましい。上限は４０ｃｍであってもよく、３０ｃｍであることが好ましい。幅及び／又は深さ及び／又は（例えば円筒状設計の場合は）直径は、例えば少なくとも４ｃｍであってもよく、少なくとも６ｃｍであることが好ましい。対応する上限は１２ｃｍであってもよく、８ｃｍであることが好ましい。
【００６２】
設置／取付けサイトにおける取付けのために、電気ヒータは、対応する締付けデバイス（例えばボア）を有することが好ましい。
【００６３】
流れ誘導デバイスは、（正確に）一つ又は複数の金属シート（穴あきシート）を有することができる。ボア（開口）を通して流れの断続（局所領域）を制御することができ、或いは（局所）デッド領域を回避することができる。更に、穴あきシートは、高い費用有効性で製造することができる。
【００６４】
原理的には、流れ偏向及び／又は乱流発生デバイス（例えば複数の孔を備える）により、流れに対する局所要求事項を考慮することができる。詳細には、それに応じて（局所的に）流入する流体の流れ（冷却水質量の流れ）を調整することができる。流体の流れは、流れ偏向及び／又は乱流発生デバイスの数、直径及び位置決め（例えば突起、孔、詳細にはボア、凹所など）によって変更可能に分割することができる。
【００６５】
流れ偏向及び／又は乱流発生デバイスの任意選択で設けられる開口は、様々な形態（例えば円形の孔及び／又は細長い孔及び／又は多角形の形態、詳細には四角形及び／又は三角形）を有することができる。任意選択で構成される四角形は、細長い（一つの長さが、詳細には幅の少なくとも２倍又は少なくとも５倍を超える）ことが好ましい。細長い孔又は（細長い）四角形は、流れの主方向に対して横方向に配向されることが好ましい。細長い孔又は細長い四角形は、発熱体（詳細にはヒータ）のより長い（真っ直ぐな）断面が存在する場合にとりわけ有利である。
【００６６】
本発明によれば、（的を絞った）二次流れを有効な方法で一次流れ（主流）に加えることができ、したがって流体の流れ（冷却水の流れ）における貫通混合及び循環を著しく強化することができる。流体の流れは、流れ誘導デバイス（偏向デバイス）の厚さの少なくとも５倍又は少なくとも１５倍の空間深さ（即ち流れ誘導デバイス、詳細には偏向デバイスに対して直角）で影響され得ることが好ましい。
【００６７】
したがって二次流れが形成されることがとりわけ好ましい。更に、マクロ・レベルの（追加）大規模渦構造を流体（冷却水）中に導入することも可能である。
【００６８】
個々の事例において、強化された貫通混合及び循環は、ヒータ動作に対する有利な効果を有している。
【００６９】
的を絞って流体の流れ（冷却水の流れ）に乱流を導入することにより、例えば部分的又は完全な膜沸騰などの好ましくない沸騰過程を比較的良好に防止することができる。
【００７０】
乱流の導入は、渦縦続が後続する流れ分離の原理に基づくことが好ましい。この渦縦続（二次流れ）は、一次流れに重畳することができ、また、ヒータ内の熱伝達係数が高い値に維持される（永久的に）方法で固定することができる。したがって対応する発熱体からの制御された熱除去を（高い信頼性で）達成することができ、また、任意選択で（制御された）核沸騰を達成することができる。これは、一つ又は複数の分離縁が形成されるよう、流れ誘導デバイス（偏向デバイス）の中又は上の少なくとも一つのクリアランス及び／又は鋭い縁輪郭によって達成することができることがとりわけ好ましい。
【００７１】
流れ偏向及び／又は乱流発生デバイスは、流れ誘導デバイス（偏向デバイス）の外部輪郭の内側に存在する（長方形の）開口（例えば押抜き）（窓と同様の）を備えることが好ましい。別法又は追加として、流れ偏向及び／又は乱流発生デバイスは、流れ誘導デバイス（偏向デバイス）の外部輪郭内に存在する開口の縦続（例えばスロットの縦続）を有することも可能である。別法又は追加として、乱流デバイスは、例えば流れ誘導デバイス（偏向デバイス）の偏向縁（遠位端）に沿って延在する外観（例えば長方形又は台形）のレジスタを有することも可能である（次に、対応する自由端に例えば櫛の形態で実現することができる）。別法又は追加として、流れ誘導デバイス（偏向デバイス）の（局所）打抜き即ち貫通孔が存在し得る（スクリーンと同様）。
【００７２】
全体として、本発明によって有利な貫通混合を達成することができ、あらゆる熱伝達を（著しく）促進することができる。流体（液体又は冷却水）は、デッド水領域から吸い込まれ、或いは循環される。より高い加熱能力を全体的に、また、同じく局所的に達成することができる。好ましくない沸騰過程（例えば部分的又は完全な膜沸騰）に関する安全性が高くなる。
【００７３】
更に、流れを局所的（好ましくは）に制御することができる。製造（詳細には穴あき金属シートを使用した）は、比較的費用有効性が高い。
【００７４】
流体の流れ（冷却水の流れ）は、的を絞った方法で単純に影響され得る（より大きい動作窓が得られる）。望ましくない、或いは危機的な動作状態を体系的に回避することができる。流れ誘導デバイス（偏向デバイス）の製造過程における費用の増加はわずかである。
【００７５】
一般に、（局所）バイパス領域を導入することができる（デッド水領域の定義された低減が得られる）。
【００７６】
流れ誘導デバイスは、取外し可能に構成される（詳細にはプラグ・インされ得るように構成される）ことが好ましい。しかしながら別法としては、これは、異なる方式、例えばメイン・ボディへの溶接で、一片で取り付けることも可能である。
【００７７】
全体として、有利なモジュール式構造のシステム（ヒータ・アーキテクチャのための）が可能である。
【００７８】
本発明と比較すると、従来技術の解決法には様々な欠点がある。流れ誘導デバイスの形状は、通常、製造可能性によってのみ事前に定義される（供給者において）。ヒータの内部（詳細には熱交換器及びハウジングの内部）の局所沸騰過程は、流体（冷却水）を介した熱除去に対する好ましくない影響を有している。したがってこれは局所過熱の原因になり得る。また、これは、かき乱し（例えばヒータ内における蒸気気泡、蒸気ハンマの形成）として理解される望ましくない動作状態の原因にもなり得る。極めて高い熱流密度では、また、膜沸騰が開始されると、加熱ユニットの温度が著しく高くなり、加熱ユニットが破壊する原因になり得る。この場合、移動電気ヒータ（例えば１ｋＷ乃至５ｋＷの電力を有する）の通常の加熱電力要求事項の場合、寿命及び安全上の理由で、（少なくとも約１５Ｗ／ｃｍ２乃至２０Ｗ／ｃｍ２の）特定の熱流密度を超えてはならないことに留意されたい。したがって（また、コンパクト・ヒータに対する一般要求事項の結果として）通常の発熱体は、特定の湿った表面を得るために、通常、螺旋（管状加熱体として）になるように構成される。このような複雑な螺旋管状加熱体の周囲を流れている間に、局所分離領域を形成する。このようなブリッジ領域では、流体への熱伝達が（比較的）貧弱であり、発熱導体の（局所）過熱及び望ましくない強力な初期沸騰又は蒸気ハンマをもたらす。この問題は、従来技術における加熱電力に上限を課している。
【００７９】
以下、本発明について、線図を参照して詳細に説明される例示的実施形態を参照して詳細に説明する。
【図面の簡単な説明】
【００８０】
【図１】本発明によるヒータの第１の実施形態の断面を示す図である。
【図２】図１による実施形態の側面図である。
【図３】本発明による電気ヒータの他の実施形態を示す斜視図である（ハウジングはない）。
【図４】本発明によるヒータの他の実施形態を示す分解斜視図である。
【図５】本発明による流れ誘導デバイス（偏向デバイス）を示す図である。
【図６】他の実施形態による、図５と同様の流れ誘導デバイス（偏向デバイス）を示す図である。
【図７】他の実施形態による、図５と同様の流れ誘導デバイス（偏向デバイス）を示す図である。
【図８】他の実施形態による、図５と同様の流れ誘導デバイス（偏向デバイス）を示す図である。
【図９】本発明によるヒータの他の実施形態を示す断面図である。
【図１０】図９による流れ誘導デバイスを示す平面図である。
【図１１】図１０による流れ誘導デバイス（偏向デバイス）を示す側面図である。
【図１２】本発明によるヒータの他の実施形態を示す断面図である。
【図１３】図１２によるヒータのための、図１０と同様の平面図である。
【図１４】図１２によるヒータのための、図１１と同様の側面図である。
【図１５】ヒータの内部の発熱導体断面の構造を示す略断面図である。
【図１６】ヒータの内部の発熱導体の構造の断面を示す他の略図である。
【図１７】本発明によるヒータの他の実施形態を示す斜視図（部分的に分解図）である。
【図１８】本発明によるヒータの断面を示す図である。
【発明を実施するための形態】
【００８１】
以下の説明では、同じ部品又は同じ効果を有する部品に対しては同じ参照番号が使用されている。
【００８２】
図１及び図２は、本発明によるヒータの実施形態を示したものである（断面図で）。
【００８３】
このヒータは、ハウジング１０及びおそらくはカバー即ちフランジ部分（図示せず）を有している。液体入口１３及び液体出口１４は、対応する矢印によって記号で表されている。
【００８４】
ハウジング１０は、（ほぼ）長方形（任意選択で丸い縁を有する）であるか、或いは（円形）円筒状であってもよく、したがってハウジング１０によって画定される対応する体積１５も同じく長方形（丸い縁を有する）又は（円形）円筒状になるように構成される。発熱体（加熱デバイス）１６は、ハウジング１０の内側又は体積１５の中に配置されており、この例示的実施形態では管状加熱体を備えている。この発熱体１６は電流の結果として熱くなり、したがって体積１５中の液体（水）を同じく加熱することができる。
【００８５】
穴あき円筒の形態の流れ誘導デバイス１２は、図１によれば斜視図で示されている。穴あき円筒は、細長い孔タイプの横断面を有していることが好ましい。横断面の長さは、幅の１．５倍の長さであることが好ましく、幅の少なくとも２．５倍及び／又は最大１０倍の長さであることが更に好ましく、幅の最大５倍の長さであることが好ましい。
【００８６】
流れ誘導デバイス１２の軸方向の長さは、横断面の長さの少なくとも０．５倍の長さであることが好ましく、横断面の長さの少なくとも１．０倍及び／又は最大３．０倍の長さであることが好ましく、横断面の長さの最大１．８倍の長さであることが好ましい。別法又は追加として、流れ誘導デバイス１２の軸方向の長さは、横断面の幅の少なくとも１．８倍の長さであることが好ましく、横断面の幅の少なくとも３．０倍及び／又は最大１２．０倍の長さであることが更に好ましく、横断面の幅の最大６．０倍の長さであることが好ましい。
【００８７】
更に、図１による流れ誘導デバイスは、複数の孔４０を備えており、これらの孔は、（複数の）行、例えば少なくとも５行又は少なくとも１０行、及びいくつかの列、例えば少なくとも５列又は少なくとも１０列で配列される。「線」は、軸方向の「列」である円周方向に延在することが好ましい。例えば全部で少なくとも２０個又は少なくとも１００個の孔４０を設けることができる。孔４０は、全体で、流れを局所的に偏向させる流れ偏向デバイス２５を形成し、したがってデッド・スペースが回避されるか、或いは少なくとも低減される。
【００８８】
個々の孔、又はいくつかの孔、或いはすべての孔は、丸い横断面又は丸くない横断面、例えば楕円形、長円形及び／又は多角形、詳細には四角形及び／又は三角形の横断面、及び／又は以下の実施形態で説明されている横断面を有することができる。
【００８９】
図１及び図２では、流れ誘導デバイス１２の縦軸は、ハウジング１０の縦軸に対して横方向に延在していることを更に識別することができる（図２に破線によって示されている）。第２の流れ誘導デバイス１２ａは、分割壁、詳細には分割板の形態で設けることができる。第２の流れ誘導デバイス１２ａは、流れ誘導デバイス１２の軸方向の長さの少なくともほぼ半分（任意選択で軸方向の長さの＋／−１０％）にわたって配置することができる。更に、流れ誘導デバイス１２ａは、流れ誘導デバイス１２の軸方向に対して少なくとも実質的に直角であってもよい。
【００９０】
第１の流れ誘導デバイス１２及び／又は第２の流れ誘導デバイス１２ａは、（個々の事例において、それら自身で、或いは相俟って）偏向デバイスを形成することができる。
【００９１】
体積１５は、第２の流れ誘導デバイス１２ａ（分割壁又は分割板）によって二つの部分体積１７、１８に分割される。この場合、第２の流れ誘導デバイス１２ａは、ハウジング１０の一つの（縦方向の）側壁から反対側の側壁まで真っ直ぐに通っていることが好ましい（これらの側壁に対して直角に）。液体入口１３及び液体出口１４は、同じ側壁に配置することができる（また、とりわけハウジング１０の縦方向の延長に対して互いに隣り合っている）。とりわけ液体入口１３及び液体出口１４は、側壁の端部断面に配置することができる。
【００９２】
液体は、流れ誘導デバイス１２の周囲を流れ誘導デバイス１２及び／又は流れ誘導デバイス１２ａの縁４１の周囲を介して端から端まで流れることができ、したがって全体で多数の「経路」を液体のために利用することができ、及び／又はデッド・スペースを回避し、或いは少なくとも小さくすることができる。
【００９３】
発熱体１６（ここでは発熱コイル又は発熱管の形態の）は、流れ誘導デバイス１２の周囲に配置されることが好ましい。流れ誘導デバイス１２は、発熱体に（機械）接触させることができ、例えば発熱体中にプラグ・インすることができるが、発熱体１６とは間隔を隔てていることが好ましい。したがって熱伝達を期待して液体の流れを更に改善することができる。
【００９４】
更に、流れ誘導デバイス１２は、詳細にはプラグ・オン又はプラグ・インによってメイン・ボディ２２に取外し可能に接続することができる。流れ誘導デバイス１２は、第２の流れ誘導デバイス１２ａによって保持することができ、詳細には第２の流れ誘導デバイス１２ａ中にプラグ・インされる。第２の流れ誘導デバイス１２ａは、例えば図３又は図３の流れ誘導デバイスのための図２を参照して説明されているように、本質的にメイン・ボディに（例えばプラッギング又は溶接によって）取外し可能に、或いは非取外し可能に接続することができる。
【００９５】
図２ではガイド要素２９を更に識別することができ、このガイド要素２９については、図２を参照して以下で更に詳細に説明される（図４で説明されるように他のガイド要素を設けることができ、図４には参照番号３０で示されている）。
【００９６】
図３は、本発明によるヒータの他の実施形態を示したものである。この実施形態は、ハウジング１０（破線によってしか示されていない）及びカバー即ちフランジ部分１１を備えている。流れ誘導デバイス１２（分割板の形態の）は、フランジ部分１１の上に配置されている。液体入口１３及び液体出口１４は、対応する矢印によって記号で表されている。
【００９７】
ハウジング１０は、（ほぼ）長方形（任意選択で丸い縁を有する）であるか、或いは（円形）円筒状になるように構成することができ、したがってハウジング１０によって画定される対応する体積１５も長方形（丸い縁を有する）又は（円形）円筒状になるように構成される。発熱体（加熱デバイス）１６は、ハウジング１０の内側又は体積１５の中に配置されており、この例示的実施形態では管状加熱体を備えている。電流の結果としてこの発熱体１６が熱くなり、したがって体積１５中の液体（水）を同じく加熱することができる。
【００９８】
体積１５は、流れ誘導デバイス１２（分割壁又は分割板）によって二つの部分体積１７、１８に分割される。この場合、流れ誘導デバイス１２は、ハウジング１０の（縦方向の）側壁から反対側の側壁まで真っ直ぐに（斜めに）通っている。液体入口１３及び液体出口１４は、同じ側壁に配置することができる（また、とりわけハウジング１０の縦方向の延長に対して互いに隣り合っている）。とりわけ液体入口１３及び液体出口１４は、側壁の端部断面に配置することができる。
【００９９】
発熱体（加熱デバイス）１６は、体積１５の縦方向の（ほぼ）全延長にわたって（少なくとも、この縦方向の延長の少なくとも９０％にわたって、おそらくはこの縦方向の延長の最大９８％にわたって）延在することが好ましい。発熱体１６は、詳細には、任意選択で発熱体接続が貫通して通るカバー即ちフランジ部分１１から（ほぼ）反対側の壁まで延在している。流れ誘導デバイス１２の遠位端１９は、発熱体１６まで延在していないことが好ましい。個々の事例において、液体（水）は、遠位端１９とハウジング１０の対応する壁断面との間に配置された断面を介して、遠位端１９の周囲を一つの部分体積１７から他の部分体積１８中へ流入することができ、したがって液体は、液体入口１３から液体出口１４中へ流入することができる。
【０１００】
流れ誘導要素（流れ誘導デバイス）１２は、堅固に結合された方法でフランジ部分１１の上に構成することができる（例えばフランジ部分１１に溶接される）。更に、流れ誘導デバイス１２は、以下の図（詳細には図２乃至図１２）で説明されるように構成することができる少なくとも一つの乱流デバイスを有することが好ましい。
【０１０１】
図４は、本発明によるヒータの他の実施形態の断面を示したものである。この実施形態では、流れ誘導デバイス１２は、クランピング・デバイス２０ａ、２０ｂ（クランピング・タブ）を介してヒータのメイン・ボディ２２に接続することができる。更に、流れ誘導デバイス１２は、（その遠位端１９に隣接して）クリアランス２１ａ、２１ｂを有している。クリアランス２１ａ、２１ｂ（詳細には個々の事例では複数、例えば二つのクリアランス）を流れ誘導デバイス１２の二つの縦方向の縁に配置することができる。
【０１０２】
クリアランス２１ａ、２１ｂは、ピボット可能な（詳細には湾曲させることによって）タブ２３、２４を更に画定しており、したがって、とりわけ、それによって導入される乱流を改善し、／適合させることができる。全体として、構造２１ａ、２１ｂ、２３及び２４は、対応する流れ偏向及び／又は乱流発生デバイス２５を形成している。
【０１０３】
更に、図４にはガイド要素２９、３０が提供されており、ガイド要素２９、３０は、断面では（その遠位端で）先細りになっており、有利には、液体入口１３及び液体出口１４を通って流れる流体をそれぞれの開口（入口及び出口）の近くへ分割することができ、或いはそれに応じて結合することができ、また、少なくとも液体入口からハウジング１０の後部端の方向への成分に関して変位させることができ、或いはこの後部端から液体出口の方向に案内することができる。
【０１０４】
図５による流れ誘導デバイス１２では、流れ偏向及び／又は乱流発生デバイス２５は、図４による構造２１ａ、２１ｂ、２３及び２４に加えて、流れ誘導デバイス１２の内部（遠位端１９の近傍に、或いは遠位端１９の対応する遠位１／２に）細長い孔２６を備えている。
【０１０５】
図６は、図５と同様の実施形態を示したものであり、ただの一つではなく、いくつかの（三つの）細長い孔２６ａ、２６ｂ、２６ｃが提供され、行で配列されている点が異なっており、細長い孔の幅は、この行内で広くなることが好ましい（遠位端１９の方向に広くなることが好ましい）。
【０１０６】
図７は、流れ誘導デバイス１２の他の実施形態を示したものであり、ここでは複数の（丸い）開口２７を有している。開口２７は、（この場合）いくつかの行で設けることができ、開口径は遠位端１９の方向に（行毎に）大きくなることが好ましい。個々の個別の行の数は、同じ数を維持することも、或いは（図７に示されているように）少なくすることも可能である。図８は、流れ誘導デバイス１２のいくつかの他の実施形態を示したものであり、ここでは三角形の開口２８のいくつかの行を有している（とりわけ、それぞれ三つの開口２８を有する三つの行を有しているが、それ以外も実行可能である）。三角形は遠位端１９の方向に整列している。
【０１０７】
図９は、本発明によるヒータの他の実施形態を示したものである。図９による実施形態では、流れ偏向及び／又は乱流発生デバイス２５が示されており、流れ偏向及び／又は乱流発生デバイス２５は、（任意選択で設けられる）図４による構造２１ａ、２１ｂ、２３、２４に加えて、（フラップ様）突起３１、３２を有している。突起３１、３２は、この場合、それらが下流側又は上流側（それぞれの主流れ方向即ち一次流れ方向に対して）導かれる（斜に向う）ように整列することが好ましい。突起３１は、この場合、下流側に配置された（一次流れの進路に従って）対応する流入表面３３の１／２に配置することができる。（反対側の）流入表面３４に対する突起３２についても同様である。別法としては、突起３１は、対応する流入表面３３の上流側（一次流れの進路が逆である場合）の１／２に配置することも可能である。（反対側の）流入表面３４に対する突起３２についても同様である。
【０１０８】
本発明による他のヒータは図１２に示されている。これは、基本的に図９乃至図１１による実施形態に対応している。突起３１、３２の代わりに（しかしながらこれらは追加として設けることができる）、ここでは（円筒状）タービュレータ４４が提供されており、流れ誘導デバイス１２の主平面に対して直角に延在している（両方の方向に延在していることが好ましい）。
【０１０９】
図１５及び図１６は、本発明によるヒータの他の実施形態を図解したものである（断面及び横断面で）。
【０１１０】
図１５によれば、発熱体１６の断面は、流れ誘導デバイス１２の二つの断面３７、３８の間に配置することができる。断面３７、３８は、互いに平行に通っている対応する開口３９と共に壁断面を形成している。開口３９は、図１５による実施形態では互いに整列している。
【０１１１】
別法としては（図１６を参照されたい）、開口３９は、少なくとも縦方向に（断面３７と断面３８の間を通っている発熱体１６の断面に対して）（別法又は追加として、同じく横方向に）互いに対してオフセットさせることも可能である。図１６に示されている発熱体１６の断面は、横断面が丸いか、或いは円筒断面を形成することが好ましい。
【０１１２】
図１８は、本発明による他のヒータを示したものである（断面で、斜視図で）。ヒータは、ここでは板の形の流れ誘導デバイス１２を有しており、（螺旋）発熱導体１６は両側に配置されている。流れ誘導デバイス１２は、複数の（少なくとも１０個であることが好ましい）孔４０を有する穴あき板（穴あきシート）として構成されている。
【０１１３】
液体入口１３及び液体出口１４は、ここではハウジング１０の縦方向に互いに対してオフセットするように構成されている。したがって熱の量を更に改善することができる。
【０１１４】
図１９は、本発明による電気ヒータの他の実施形態を示したものである（断面で）。流れ誘導デバイス１２は、ここでは穴あき円筒（円形円筒）として構成されている。この円筒は、対応する管状発熱コイル断面４２と同じ方向に延在していることが好ましい。
【０１１５】
この時点で、上で説明したすべての部品は、それら自体に鑑みて、任意の組合せ、詳細には図面に示されている詳細において、本発明の本質的要素として特許請求されることに留意されたい。本発明に対する修正は、当業者には当たり前である。
【符号の説明】
【０１１６】
１０  ハウジング
１１  フランジ部分（カバー）
１２  流れ誘導デバイス（流れ誘導要素）
１２ａ  流れ誘導デバイス
１３  液体入口
１４  液体出口
１５  体積
１６  発熱体
１７  部分体積
１８  部分体積
１９  遠位端
２０ａ  クランピング・デバイス
２０ｂ  クランピング・デバイス
２１ａ  クリアランス（凹所）
２１ｂ  クリアランス（凹所）
２２  メイン・ボディ
２３  タブ
２４  タブ
２５  流れ偏向及び／又は乱流発生デバイス
２６  細長い孔
２６ａ  細長い孔
２６ｂ  細長い孔
２６ｃ  細長い孔
２７  （丸い）開口
２８  （三角形の）開口
２９  衝撃要素
３０  衝撃要素
３１  突起
３２  突起
３３  流入表面
３４  流入表面
３７  断面
３８  断面
３９  開口
４０  孔
４１  縁
４４  タービュレータ
【図１】
0006974765.tif 000002
【図２】
0006974765.tif 000003
【図３】
0006974765.tif 000004
【図４】
0006974765.tif 000005
【図５】
0006974765.tif 000006
【図６】
0006974765.tif 000007
【図７】
0006974765.tif 000008
【図８】
0006974765.tif 000009
【図９】
0006974765.tif 000010
【図１０】
0006974765.tif 000011
【図１１】
0006974765.tif 000012
【図１２】
0006974765.tif 000013
【図１３】
0006974765.tif 000014
【図１４】
0006974765.tif 000015
【図１５】
0006974765.tif 000016
【図１６】
0006974765.tif 000017
【図１７】
0006974765.tif 000018
【図１８】
0006974765.tif 000019